(57)【要約】【課題】通信途中に一つの通信モードで他の通信モードへの変更が可能な画像電話機の通信モード変更方法を提供すること。【解決手段】機能キー入力に応じて通信機能を選択し，呼出画像電話機が呼出状態にあるか否かを判別する。呼出状態にある場合に，呼出画像電話機を被呼出画像電話機と接続し，一方，呼出状態ではない場合に，呼出画像電話機を待機状態に設定して，呼出が生じたときに，両画像電話機を接続する。さらに，選択された通信機能に応じて，両画像電話機間の音声通信処理ルーチンあるいは画像通信処理ルーチンを遂行し，当該通信途中に使用者のマニュアル入力に基づくモード変更要求があるか否かを判別する。モード変更要求がある場合に，遂行中である通信モードを他の通信モードに変更して，変更された通信モードによる通信処理ルーチンを遂行し，モード変更要求がない場合に，両画像電話機間の通信を終了する。【選択図】図７
2006121733.tif 000002
【特許請求の範囲】
【請求項１】
呼び出し画像電話機と被呼び出し画像電話機間の通信途中に通信モードを変更する方法において：
機能キー入力に応じて通信機能を選択する段階と；
前記呼び出し画像電話機が呼び出し状態にあるか否かを判別する段階と；
前記呼び出し画像電話機が呼び出し状態にあると判別された場合に，前記被呼び出し画像電話機を呼び出して，前記呼び出し画像電話機を前記被呼び出し画像電話機と接続する段階と；
前記呼び出し画像電話機が呼び出し状態ではないと判別された場合に，前記呼び出し画像電話機を待機状態に設定して，呼び出しを待たせる段階と；
前記呼び出しが生じたときに，前記呼び出し画像電話機と前記被呼び出し画像電話機とを相互に接続する段階と；
前記選択された通信機能に応じて，前記呼び出し画像電話機と前記被呼び出し画像電話機との間の音声通信処理ルーチンあるいは画像通信処理ルーチンを遂行する段階と；
当該通信途中に前記呼び出し画像電話機又は前記被呼び出し画像電話機から使用者のマニュアル入力に基づくモード変更要求があるか否かを判別する段階と；
前記モード変更要求がある場合に，遂行中である通信モードを他の通信モードに変更して，変更された通信モードによる通信処理ルーチンを遂行する段階と；
前記モード変更要求がない場合に，前記呼び出し画像電話機と前記被呼び出し画像電話機との間の通信を終了する段階と；
を含み，
前記音声通信処理ルーチンは，
前記画像電話機を前記音声通信モードに設定して，音声通信ルーチンを遂行する段階と；
使用者により画像接続要求があるか否かを判別し，前記画像接続要求がある場合には，前記画像電話機において画像通信許可状態に設定されているか否かが判定され，設定されている場合には，画像接続要求トーンコードを生成して，電話回線網を介して相手方の画像電話機に伝送する段階と；
当該相手方の画像電話機からトーンコードが受信されるか否かを判別し，トーンコードが受信される場合には，前記受信されたトーンコードが画像接続応答トーンコードと同一であるか否かを判別し，同一である場合には，画像接続許可トーンコードを生成して当該相手方の画像電話機に伝送し，前記画像通信処理ルーチンに移行する段階と；
一方，前記使用者により前記画像接続要求がない場合には，相手方の画像電話機からトーンコードが受信されるか否かを判別し，トーンコードが受信される場合には，前記受信されたトーンコードが前記画像接続要求トーンコードと同一であるか否かを判別し，同一である場合には，前記画像接続応答トーンコードを生成して，当該相手方の画像電話機に伝送する段階と；
当該相手方の画像電話機からトーンコードが受信されるか否かを判別し，トーンコードが受信される場合には，前記受信されたトーンコードが前記画像接続許可トーンコードと同一であるか否かを判別し，同一である場合には，前記画像通信処理ルーチンに移行する段階と；
を含むことを特徴とする，画像電話機の通信モード変更方法。
【請求項２】
前記画像通信処理ルーチンは，
モデムを画像通信モードにインエーブルし，前記画像電話機を前記画像通信モードに設定して，画像通信ルーチンを遂行する段階と；
使用者により音声接続要求があるか否かを判別し，前記音声接続要求がある場合には，音声接続要求トーンコードを生成して，電話回線網を介して相手方の画像電話機に伝送する段階と；
当該相手方の画像電話機からトーンコードが受信されるか否かを判別し，トーンコードが受信される場合には，前記受信されたトーンコードが音声接続応答トーンコードと同一であるか否かを判別し，同一である場合には，音声接続許可トーンコードを生成して当該相手方の画像電話機に伝送し，前記音声通信処理ルーチンに移行する段階と；
一方，使用者により前記音声接続要求がない場合には，相手方の画像電話機からトーンコードが受信されるか否かを判別し，トーンコードが受信される場合には，前記受信されたトーンコードが前記音声接続要求トーンコードと同一であるか否かを判別し，同一である場合には，前記音声接続応答トーンコードを生成して，当該相手方の画像電話機に伝送する段階と；
当該相手方の画像電話機からトーンコードが受信されるか否かを判別し，トーンコードが受信される場合には，前記受信されたトーンコードが前記音声接続許可トーンコードと同一であるか否かを判別し，同一である場合には，前記音声通信処理ルーチンに移行する段階と；
を含むことを特徴とする，請求項１に記載の画像電話機の通信モード変更方法。
【請求項３】
前記画像通信ルーチンは，
前記画像電話機間で，音声及び画像情報を転送する段階と；
前記画像電話機が受信した前記音声及び画像情報を再生成する段階と；
前記画像通信が終了したか否かを判別し，終了した場合には，前記画像電話機をオンフック状態にして，前記モデムをディスエーブルする段階と；
を含むことを特徴とする，請求項２に記載の画像電話機の通信モード変更方法。
【請求項４】
前記音声通信ルーチンは，
音声通信処理を遂行する段階と；
前記画像電話機がオンフック状態であるか否かを判別し，オンフック状態である場合には，前記音声通信を終了する段階と；
を含むことを特徴とする，請求項１〜３のいずれかに記載の画像電話機の通信モード変更方法。
【発明の詳細な説明】
【技術分野】
【０００１】
本発明は一般的に画像電話機システムに関するものであり，具体的には呼び出し画像電話機システムと被呼び出し画像電話機システム間の通信途中に通信モードを変更する方法に関するものである。
【背景技術】
【０００２】
特定な呼び出し番号を持つ単一の電話網線に多数の電話機が連結されていることをよく見られる。
【０００３】
電話網線のような単一の転送線に多数の画像電話機が連結されるとしても，呼び出し画像電話機と被呼び出し画像電話機間に変調及び復調技術を利用した通信が遂行される場合には，二つの電話機間の電話網線を通じたオディオ（音声）情報及びビデオ（画像）情報の送受信ができる。だが，二つの電話機間の通信が通常的な電話通信技術によって遂行される場合には，二つの電話機間の音声通信は可能するが，画像通信は不可能になる。その理由は電話網線を通じて転送される画像信号がディジタル信号からである。言いかえれば，電話線はよく知られていることのように電話機システムで発生されたディジタル信号を変調なしに転送することには不適合な転送線のためである。従って，電話網線を通じた音声及び画像信号の同時的な送信及び受信のためには，各電話機はアナログ音声信号を変調し，復調するモデム装置を備えなければならない。
【０００４】
図１は各々がモデム装置を持つ呼び出し及び被呼び出し画像電話機の間に電話網線のための画像通信を遂行する従来の方法を見せるフローチャートである。図面に図示されたことのように従来の方法では，被呼び出し画像電話機の呼び出し番号がキー入力されることに応答して電話網線を通じて被呼び出し画像電話機を呼び出しさせ，（段階Ｓ１），被呼び出し画像電話機から通信を許諾するための通信許可信号が発生されるかを判別する（段階Ｓ２），通信許可信号が発生されると，被呼び出し電話機と音声通信を遂行させ（段階Ｓ３），相対との合意によって画像通信が選択されるかを判別する（段階Ｓ４），画像通信が選択されると，被呼び出し電話機との画像通信を遂行させる（段階Ｓ５），つづいて，呼び出す者や被呼び出す者からの通信終了要求があるかを判別し（段階Ｓ６），通信終了要求があると，被呼び出し電話機との画像通信を終了させる（段階Ｓ７）。
【０００５】
上から記述したことのような従来の方法では，呼び出し電話機と被呼び出し電話機間の音声通信の遂行途中に二つの電話機で同時に画像通信を選択することによって画像通信が遂行されることができる。万一，二つの電話機中，ある一つだけでも画像通信モードに設定されないと両電話機間の画像通信は遂行されることができない。従って，画像電話機間の画像通信を遂行するためには，全ての電話機は画像通信モードで設定されなければならない。又，通信の遂行途中に画像通信モードで音声通信モードへの，そしてそれとは反対の変更は不可能である。
【発明の開示】
【発明が解決しようとする課題】
【０００６】
従って，本発明の目的は通信途中に一つの通信モードで他の通信モードへの変更が可能な画像電話機の通信モード変更方法を提供することである。
【課題を解決するための手段】
【０００７】
本発明の一つの特徴によると，画像通信モード及び音声通信モードをスイッチングする機能を持つ画像電話機システムは：連結された電話網線を通じた画像通信の遂行のために画像及び音声信号を送受信するモデムと；モード制御信号ＭＣＳに応答して制御ル−チンを遂行しモデムが画像通信モードや音声通信モードに設定させる制御ユニットと；電話網線を通じた音声通信のための電話機ハンドセットと；制御ユニットの制御によって電話網線をモデムや電話機ハンドセットと連結するスイッチング及び；制御ユニットと電話網線の間に連結され，画像電話機の通信途中に，電話網線からのトーンコード信号をデコーディングさせモード制御信号を発生することと共に制御ユニットからのモード制御信号をエンコーディングして通信モードの設定及び変更を表示するトーンコードを発生するトーンコードコーデック（ｃｏｄｅｃ）  ユニットを含む。
【０００８】
望しい実施例において，トーンコードコーデックユニットは電話網線からのトーンコード信号をデコーディングするトーンコードデコーダと，制御ユニットからのモード制御信号をエンコーディングするトーンコードエンコーダを含む。トーンコードデコーダはアナログトーンコード信号をディジタルトーンコード信号に変換するアナログ−ディジタル変換機と，ディジタルトーンコード信号をデコーディングしてモード制御信号を発生するデコーダ及び，トーンコード信号のデコーディングと関連されたデータを貯蔵するメモリ含む。トーンコードエンコーダはトーンコード信号のエンコーディングと関連されたデータを貯蔵するメモリと，モード制御信号をエンコーディングしてディジタルトーンコードを発生するエンコーダ及び，ディジタルトーンコードをアナログトーンコード信号に変換するディジタル−アナログ変換機を含む。
【０００９】
本発明の他の特徴によると，呼び出し画像電話機と被呼び出し画像電話機間の通信途中に通信モードを変更する方法は，機能キー入力に応じて通信機能を選択する段階と；呼び出し画像電話機が呼び出し状態にあるか否かを判別する段階と；呼び出し画像電話機が呼び出し状態にあると判別された場合に，被呼び出し画像電話機を呼び出して，呼び出し画像電話機を被呼び出し画像電話機と接続する段階と；呼び出し画像電話機が呼び出し状態ではないと判別された場合に，呼び出し画像電話機を待機状態に設定して，呼び出しを待たせる段階と；呼び出しが生じたときに，呼び出し画像電話機と被呼び出し画像電話機とを相互に接続する段階と；選択された通信機能に応じて，呼び出し画像電話機と被呼び出し画像電話機との間の音声通信処理ルーチンあるいは画像通信処理ルーチンを遂行する段階と；当該通信途中に呼び出し画像電話機又は被呼び出し画像電話機から使用者のマニュアル入力に基づくモード変更要求があるか否かを判別する段階と；モード変更要求がある場合に，遂行中である通信モードを他の通信モードに変更して，変更された通信モードによる通信処理ルーチンを遂行する段階と；モード変更要求がない場合に，呼び出し画像電話機と被呼び出し画像電話機との間の通信を終了する段階と；を含む。そして，上記音声通信処理ルーチンは，画像電話機を音声通信モードに設定して，音声通信ルーチンを遂行する段階と；使用者により画像接続要求があるか否かを判別し，画像接続要求がある場合には，画像電話機において画像通信許可状態に設定されているか否かが判定され，設定されている場合には，画像接続要求トーンコードを生成して，電話回線網を介して相手方の画像電話機に伝送する段階と；当該相手方の画像電話機からトーンコードが受信されるか否かを判別し，トーンコードが受信される場合には，受信されたトーンコードが画像接続応答トーンコードと同一であるか否かを判別し，同一である場合には，画像接続許可トーンコードを生成して当該相手方の画像電話機に伝送し，画像通信処理ルーチンに移行する段階と；一方，使用者により画像接続要求がない場合には，相手方の画像電話機からトーンコードが受信されるか否かを判別し，トーンコードが受信される場合には，受信されたトーンコードが画像接続要求トーンコードと同一であるか否かを判別し，同一である場合には，画像接続応答トーンコードを生成して，当該相手方の画像電話機に伝送する段階と；当該相手方の画像電話機からトーンコードが受信されるか否かを判別し，トーンコードが受信される場合には，受信されたトーンコードが画像接続許可トーンコードと同一であるか否かを判別し，同一である場合には，画像通信処理ルーチンに移行する段階と；を含む。
【発明の効果】
【００１０】
以上説明したように，本発明によると，呼び出す者と被呼び出す者の電話機の間に音声通信モードが遂行されている間にも呼び出し画像電話機や被呼び出し画像電話機のキー入力によって画像通信モードへの変更が可能する。勿論，これと反対にも可能である。従って，本発明の画像電話機はそれの通信途中に音声通信及び画像通信間の転換を可能にする。
【発明を実施するための最良の形態】
【００１１】
次は，添付された図面を参照して本発明の実施例に対して詳細に説明する。
【００１２】
図２を参照すると，本発明の一つの実施例による新規な画像電話機システムはモード制御信号ＭＣＳに応答して制御ル−チンを遂行する制御ユニット１００，制御ユニット１００へのモード制御信号ＭＣＳに応答してモード設定及び変更を表示するトコード（ｔｏｎｅ  ｃｏｄｅ）  を発生してそれを電話網線１０を通じて相対側に転送し，そして相対側から電話網線１０を通じて受信したトーンコードを解読してモード制御信号ＭＣＳを発生するトーンコードコーデック（ＣＯＤＥＣ）ユニット６００，そして制御ユニット１００の制御によって電話網をモデム５００や電話機セット１１００に連結するスイッチ５１０を具備する。制御ユニット１００は画像電話機システムの全体動作を制御する。従って画像電話機システムは，呼び出する者や被呼び出す者の画像電話機からの画像通信要求があり，他側がそれに同意したりあるいは同意しない場合，画像電話機を利用した画像通信の接続／非接続を選択できるようにさせる。又，画像電話機システムは通信途中に通信モードの変更を容易に実行することができる。たとえば，呼び出す者と被呼び出す者が画像電話機を利用した音声通信を遂行している場合，通信途中に呼び出す者側の画像電話機や被呼び出す者側の画像電話機からのキー入力によって音声通信モードは画像通信モードに変更されることができる。従って，本発明の画像電話機は通信途中に音声通信と画像通信間の（転換）を行うことができるようにさせる。
【００１３】
再び，図２を参照すると，画像電話機システムは画像出力処理ユニット８００（すなわち，モニター），画像入力処理ユニット７００（すなわち，ＣＣＤカメラ），音声出力処理ユニット１０００（すなわち，サウンドカード），音声入力処理ユニット９００（すなわち，マイクロホン），キー入力ユニット４００（すなわち，キーマトリックス），そしてメモリユニットをもっと備えている。このメモリユニットはＲＡＭ２００とＲＯＭ３００で構成される。制御ユニット１００はＲＯＭ３００に貯蔵された制御プログラムを実行して画像電話機システムの全体的な動作を制御する。
【００１４】
トーンコードコーデックユニット６００は制御ユニット１００と電話網線１０の間に連結される。トーンコードコーデックユニット６００は電話網線１０から提供されるトーンコードをデコーディングしてモード制御信号ＭＣＳを発生し，そして制御ユニット１００からのモード制御信号ＭＣＳに応答してトーンコードをエンコーディングしてトーンコード信号を発生する。コーデックユニット６００は２つのセクション，すなわちトーンコードエンコーダとトーンコードデコーダで構成される。図３に図示されたことのように，トーンコードデコーダはアナログトーンコード信号をディジタルトーンコード信号に変換するアナログ−ディジタル変換機（ＡＤＣ）６５０ａと，ディジタルトーンコード信号をデコーディングしてモード制御信号ＭＣＳを発生するデコーダ６１０及び，トーンコードのデコーディングと関連されたデータを貯蔵しているメモリ６２０を具備する。トーンコードエンコーダは，又，図３に図示されたことのように，トーンコードのエンコーディングと関連されたデータを貯蔵するメモリ６３０と，モード制御信号ＭＣＳに応答して，すなわち，モード制御信号をエンコーディングしてディジタルトーンコード信号を発生するエンコーダ６４０及び，ディジタルトーンコード信号をアナログトーンコード信号に変換するディジタル−アナログ変換機（ＤＡＣ）６５０ｂを具備する。
【００１５】
次は，図６を参照して，呼び出し画像電話機と被呼び出し画像電話機間の通信途中に他の通信モードへの変更を遂行する方法に対して説明する。方法を遂行するための制御プログラム（このプログラムは図２に図示された画像電話機システムのＲＯＭ３００に貯蔵されている）は制御ユニット１００によって実行される。図２の画像電話機システムは通信途中にも他の通信モードへの転換を可能するようにさせる。
【００１６】
まず，段階Ｓ１１０で，画像電話機のキー入力ユニット４００によって呼び出す者がいろいろな通信機能を選択する。このように選択される通信機能には，画像通信に対した同意及び通信モードの選択等が含んでいる。次に，制御フローは段階Ｓ１２０に進行する。この段階では，画像電話機（すなわち，呼び出し画像電話機）が呼び出し状態にあるかが判別される。万一，呼び出し状態にあると，制御フローは段階Ｓ１３０に進行する。この段階では，呼び出す者による他側，すなわち，被呼び出す者の呼び出しが成立され，次に段階Ｓ１４０で，呼び出し画像電話機は被呼び出し画像電話機と連結される。
【００１７】
段階Ｓ１２０で，万一呼び出し画像電話機が呼び出し状態ではないと，制御フローは段階Ｓ１５０に進行して他側からの呼び出しに対備するために画像電話機は待期状態に設定される。段階１６０で，他側からの呼び出しがある場合，呼び出された画像電話機は相対側と物理的に連結される。
【００１８】
段階Ｓ１７０では，呼び出し及び被呼び出し画像電話機間の音声あるいは画像通信が遂行される。段階Ｓ１１０で呼び出し画像電話機が音声通信モードで設定されていると，音声通信が遂行され，画像通信モードで設定されていると画像通信が遂行される。
【００１９】
段階Ｓ１７５で，通信途中で呼び出し画像電話機や被呼び出し画像電話機からモード変更要求があるかが判別される。モード変更要求信号が発生すると，制御フローは段階Ｓ１８０に進行する。この段階では呼び出し電話機と被呼び出し電話機の間に遂行されている通信モードが他の通信モードに変更される。万一，モード変更要求信号が発生しないと，制御フローは段階Ｓ１９０に進行する。この段階では通信が完了されたかが判別される。通信完了であると制御フローは段階Ｓ２００に進行する。この段階では呼び出し画像電話機が被呼び出し画像電話機から断絶される。段階Ｓ１９０で，通信完了ではないと，制御フローは段階Ｓ１７０に進行して持続的な通信遂行が成り立つ。
【００２０】
次は，図７ないし図９を参照してモード変更方法に対してもっと詳細に説明する。
【００２１】
図７Ａを参照すると，段階Ｓ２２０で，画像通信の遂行に対した同意が成立されるかが判別される。同意が成立されると，制御フローは段階Ｓ２３０に進行する。この段階では画像通信状態バッファ２４０（図４参照）が画像通信同意信号，すなわち画像通信プラグを貯蔵するように設定される。同意が成立されないと，制御フローは段階Ｓ２４０に進行してバッファ２４０がクリアーされる。
【００２２】
段階Ｓ２５０では，呼び出し画像電話機が呼び出し状態あるいは待期状態に設定されるかが判別される。呼び出し状態に設定されると，制御フローは段階Ｓ２６０に進行する。この段階では，画像電話機が自身の呼び出し番号入力キー４３０（図５参照）を通じて入力される呼び出し番号を受け入れはじめる。段階Ｓ２７０では，呼び出し番号の入力が完了されたかが判別される。呼び出し番号の入力が完了であると，呼び出し画像電話機はフック−オフ状態になるように制御され（段階Ｓ２８０），次はダイアリングが成立される。
【００２３】
図７Ｂの段階Ｓ３００では，被呼び出し画像電話機からの応答信号があるかが判別される。応答信号がないと，制御フローは段階Ｓ３１０に進行してリダイアリングが，要すると，３回にわたって，試図される。バッファ２２０（図４参照）に貯蔵されたダイアリング試図をチェッキングすることによってリダイアリングが完了されると，制御フローは段階Ｓ３２０に進行して呼び出し画像電話機はフック−オンされるように制御される。
【００２４】
段階Ｓ３００に準じて，被呼び出し画像電話機から何の応答信号を受け入らないと，制御フローは段階Ｓ３４０に進行して被呼び出し画像電話機からトーンコードが受信されるかが判別される。トーンコードが受信されないと，制御フローは段階Ｓ３５０に進行する。この段階では，呼び出し画像電話機の制御ユニット１００の制御によって被呼び出し画像電話機からの画像連結要求信号としてのトーンコードに対した検出が成立される。次に，段階Ｓ３６０に準じて，画像通信状態バッファ２４０をチェッキングすることによって画像通信が設定されるかがチェックされる。画像通信が設定されると，呼び出し画像電話機はトーンコードコーデックユニット６００を通じて画像通信許可信号を発生する（段階Ｓ３７０）。
【００２５】
段階Ｓ３８０で，被呼び出し画像電話機がトーンコードを発生するかが判別される。トーンコードが発生されると，制御フローは段階Ｓ３９０に進行する。この段階でトーンコードは画像連結許可信号になる。トーンコードが発生されないと，制御フローは段階Ｓ３９５に進行して画像通信許可信号が要すると３回にわたって再発生される。
【００２６】
段階Ｓ３９０で，呼び出し画像電話機が被呼び出し画像電話機からトーンコードを画像連結許可信号として受信すると，制御フローは段階５００に進行することによって画像通信処理ル−チンが遂行される。
【００２７】
一方，段階Ｓ３５０，Ｓ３６０あるいはＳ３９０で，トーンコードが受信されないと，制御フローは段階Ｓ８００に進行することによって音声通話処理ル−チンが遂行される。
【００２８】
図７Ｃの段階Ｓ４００で，画像電話機は自身の待期状態の間に他の画像電話機から呼び出し信号が受信されたかを判別する。この時，呼び出し信号を受信する画像電話機は被呼び出し画像電話機になる。呼び出し信号の受信の間に使用者が画像電話機のハンドセットを取って上げると，画像電話機はフック−オフ状態になるように制御される（Ｓ４１０）。この時，段階Ｓ４２０で，被呼び出し画像電話機が画像通信状態にあるかが判別される。画像通信状態にあると，被呼び出し画像電話機は段階Ｓ４３０に準じて自身のトーンコードコーデックを通じて画像連結要求トーンコードを発生する。このように発生されたトーンコードは電話網線を通じて呼び出し画像電話機に伝達される。
【００２９】
段階Ｓ４４０で，被呼び出し画像電話機は呼び出し画像電話機がトーンコードを発生するかをチェックする。トーンコードが発生されると，段階Ｓ４５０で呼び出し画像電話機からのトーンコードが画像応答トーンコードであるかが判別される。呼び出し画像電話機から画像応答トーンコードを受信する場合，被呼び出し画像電話機は段階Ｓ４７０に準じて画像通信許可トーンコードを発生する。これによって発生されたトーンコードは呼び出し画像電話機に伝達される。以後，段階Ｓ５００に準じて，呼び出し画像電話機と被呼び出し画像電話機間に画像通信処理ル−チンが遂行される。
【００３０】
一方，段階Ｓ４４０で，呼び出し画像電話機からトーンコードが発生されないと，制御フローは段階Ｓ４６０に進行する。この段階では被呼び出し画像電話機が所定の回数（要すると，３回）にわたって画像連結要求信号を再発生する。トーンコードが発生されると，制御フローは段階Ｓ８００に進行することによって音声処理ル−チンが遂行される。
【００３１】
次は，図８Ａないし８Ｃを参照して画像通信処理ル−チンＳ５００に対して詳細に説明する。
【００３２】
図８Ａを参照すると，段階Ｓ５１０及びＳ５２０では，制御ユニット１００の制御によってモデム５００が画像通信モードにインエーブルされた後に画像電話機は画像通信モードに設定される。以後，段階Ｓ７００に準じて画像通信ル−チンが遂行される。
【００３３】
図８Ｃの段階Ｓ７１０では，呼び出し画像電話機と被呼び出し画像電話機の間の電話網線に音声及び画像情報が転送される。制御フローは段階Ｓ７２０に進行する。この段階では情報を受信した画像電話機は画像及び音声信号を再生成する。このように再生成された信号は音声出力処理ユニット１０００は勿論であり，画像出力ユニット８００に提供される。段階Ｓ７３０で画像通信が終了されると，制御フローは段階Ｓ７４０に進行する。この段階では画像電話機がフック−オン状態になるように制御される。そして，モデム５００はディスエーブルさせて非動作モードになる。
【００３４】
一方，段階Ｓ７００の間に画像通信ル−チンが終了される場合，制御フローは段階Ｓ５３０に進行する。この段階では使用者によって音声連結要求が発生されるかがチェックされる。音声連結要求があると，段階Ｓ５４０で，画像電話機は音声連結要求トーンコードを発生する。このように発生されたトーンコードは電話網線を通じて相対方の画像電話機に伝達される。
【００３５】
段階Ｓ５５０では，相対方側の画像電話機からトーンコードが受信されるかが判別される。トーンコードが受信されると，制御フローは制御Ｓ５６０に進行して受信されたトーンコードが音声連結応答トーンコードと同一するかが判別され，それではないと，制御フローは段階Ｓ５７０に進行して音声連結応答トーンコードが再発生されるかが要すると３回にわたってチェックされる。
【００３６】
段階Ｓ５６０の間に，受信されたトーンコードが音声応答トーンコードではないと，制御フローは段階Ｓ５８０に進行する。この段階では音声連結許可トーンコードが発生される。この時，段階Ｓ５９０に準じてモデムはディスエーブルさせ音声通信モードになる。その後，制御フローは段階Ｓ８００に進行することによって音声通信処理ル−チンが遂行される。
【００３７】
段階Ｓ５３０に返って，使用者によって音声連結要求信号が発生されないと，制御フローは図８Ｂの段階Ｓ６００に進行して相対方側の画像電話機からトーンコードが受信されるかがチェックされる。トーンコードが受信されると，制御フローは段階Ｓ６１０に進行する。この段階では，受信されたトーンコードが音声連結要求トーンコードと同一するかがチェックされる。
【００３８】
図８Ｂの段階Ｓ６２０では，画像電話機が音声連結応答トーンコードを発生して相対方側の画像電話機を伝達した後，制御フローは段階Ｓ６３０に進行する。ここでは，相対方側の画像電話機からトーンコードが受信されるかがチェックされる。トーンコードが受信されると，制御フローは段階Ｓ６５０に進行して受信されたトーンコードが音声連結許可トーンコードと同一するかがチェックされ，トーンコードが受信されないと，制御フローは段階Ｓ６４０に進行して音声連結応答トーンコードが要すると３回にわたって再発生されるかがチェックされる。
【００３９】
段階Ｓ６５０の間に，受信されたトーンコードが音声連結応答トーンコードであると，制御フローは図８Ａの段階Ｓ５９０にジャンプしてモデムをディスエーブルさせ音声通信モードになるようにさせる。そして，段階Ｓ６４０の間に，音声連結応答トーンコードが３回にわたって再発生されると，制御フローは図８Ａの段階Ｓ７００にジャンプして音声通信ル−チンを遂行する。
【００４０】
次は，図９Ａないし９Ｃを参照して音声通信処理ル−チンＳ８００に対して詳細に説明する。
【００４１】
図９Ａの段階Ｓ８１０で，画像電話機は音声通信モードに設定される。以後，段階Ｓ１０００に準じて音声通信ル−チンが遂行される。
【００４２】
図９Ｃの段階Ｓ１０１０では，音声通話モードによって呼び出し画像電話機と被呼び出し画像電話機の間の電話網線にただ音声情報だけ転送される。制御フローは段階Ｓ１０２０に進行して，フックスイッチがフック−オン状態であるかがチェックされる。フック−オン状態にあると，音声通信ル−チンが終了され，それではないと制御フローは段階Ｓ１０１０にジャンプしてつづいて音声通信を遂行する。
【００４３】
一方，段階Ｓ１０００の間に音声通信ル−チンが終了される場合，制御フローは段階Ｓ８２０に進行して使用者による音声連結要求が発生されるかがチェックされる。画像連結要求があると，段階Ｓ８３０で画像通信状態に設定され，画像通信に同意するかがチェックされる。ここで，画像通信状態に設定されないと，段階Ｓ８４０に準じて画像電話機は状態を設定させる。
【００４４】
図９Ａの段階Ｓ８５０では，画像電話機が画像連結応答トーンコードを発生して電話網線を通じて相対方側の画像電話機に伝達した後，制御フローは段階Ｓ８６０に進行する。ここでは，相対方側の画像電話機からトーンコードが受信されるかが判別される。トーンコードが受信されると制御フローは段階Ｓ８７０に進行して受信されたトーンコードと画像連結応答トーンコードが同一するかが判別され，それではないと，制御フローは段階Ｓ８８０に進行して画像連結応答トーンコードが要すると３回にわたって発生されるかがチェックされる。
【００４５】
段階Ｓ８７０の間に，受信されたトーンコードと画像連結応答トーンコードが同一すると，制御フローは段階Ｓ８９０に進行して画像連結許可トーンコードが発生される。以後，画像通信処理ル−チンＳ５００が遂行される。
【００４６】
図９Ａの段階Ｓ８２０に返って，使用者によって画像連結要求が発生されると，制御フローは図９Ｂの段階Ｓ９００に進行して相対方側の画像電話機からトーンコードが受信されるかがチェックされる。トーンコードが受信されると，制御フローは段階Ｓ９１０に進行して受信されたトーンコードが画像連結要求トーンコードと同一するかがチェックされる。次に，制御フローは段階Ｓ９２０に進行する。この段階では画像通信状態に設定されて画像通信に同意するかがチェックされる。ここで，画像通信状態が設定されないと，制御フローは段階Ｓ１０００にジャンプして音声通信ル−チンを遂行する。
【００４７】
図９Ｂの段階Ｓ９３０では，画像電話機が画像連結応答トーンコードを発生して相対方側の画像電話機に伝達し，制御フローは段階Ｓ９４０に進行する。ここでは，相対方側の画像電話機からトーンコードが受信されるかがチェックされる。トーンコードが受信されると，制御フローは段階Ｓ９６０に進行して受信されたトーンコードと画像連結許可トーンコードが同一するかがチェックされ，それではないと，制御フローは段階Ｓ９５０に進行して画像連結応答トーンコードが要すると３回にわたって発生されるかがチェックされる。
【００４８】
段階Ｓ９６０の間に，受信されたトーンコードが画像連結応答トーンコードであると，制御フローは図８Ａの段階Ｓ８９０にジャンプし，それではないと，制御フローは段階Ｓ１０００にジャンプして音声通信ル−チンを遂行する。
【００４９】
また，段階Ｓ９５０の間に，画像連結応答トーンコードが３回にわたって再発生されると，制御フローは図８Ａの段階Ｓ１０００にジャンプし，それではないと，制御フローは段階Ｓ９３０にジャンプして画像連結応答トーンコードを発生する。
【図面の簡単な説明】
【００５０】
【図１】呼び出し画像電話機と被呼び出し画像電話機間の電話網線を通じた画像通信を遂行する従来の方法を見せるフローチャート
【図２】本発明の一実施例による画像電話機システムのブラック図
【図３】図２に図示されたトーンコード（ｔｏｎｅ  ｃｏｄｅ）  解読／発生ユニットの詳細回路図
【図４】図２に図示されたＲＡＭ内に割当される多数のバッファを見せる図面
【図５】図２に図示されたキー入力ユニット上に配列される多数のキーを見せる図面
【図６】本発明の他の実施例によって通信途中に通信モードを変更する新規な方法を見せるフローチャート
【図７】図２に図示された画像電話機で，通信途中に通信モードを変更する方法を詳細に見せるフローチャート
【図８】通信処理ル−チンを詳細に見せるフローチャート
【図９】音声通信処理ル−チンを詳細に見せるフローチャート
【符号の説明】
【００５１】
１０  電話網線
１００  制御ユニット
２００  ＲＡＭ
３００  ＲＯＭ
５００  モデム
６００  トーンコードコーデックユニット
【図１】
2006121733.tif 000003
【図２】
2006121733.tif 000004
【図３】
2006121733.tif 000005
【図４】
2006121733.tif 000006
【図５】
2006121733.tif 000007
【図６】
2006121733.tif 000008
【図７】
2006121733.tif 000009
【図８】
2006121733.tif 000010
【図９】
2006121733.tif 000011